(57)【要約】【課題】予め長さの異なるボルト部を固定した台座部を複数種類用意する必要がなく製作、管理等において煩雑となることのない床パン設置用のアジャスターボルトを提供する。【解決手段】床面上に設置される台座部１と、該台座部１に取り付けられて床パンを支持するボルト部２とからなる床パンＰ設置用のアジャスターボルトであって、防振ゴムからなる台座部本体１１にボルト部２が挿通可能な本体挿通孔１１ａを形成し、台座部本体１１の上面にボルト部２が挿通可能な板挿通孔１２ａを形成した上金属板１２固定し、上金属板１２の板挿通孔１２ａの周囲の上面にボルト部２に螺合するナット部１４を固定して台座部１を構成し、ナット部１４に任意の長さのボルト部２を台座部１の下方より本体挿通孔１１ａおよび板挿通孔１２ａに挿入してナット部１４に螺合すると共にボルト部２の上端部より螺合したロックナット３を締結することで固定した。【選択図】図１
2007224617.tif 000002
【特許請求の範囲】
【請求項１】
床面上に設置される台座部と、該台座部に取り付けられて床パンを支持するボルト部とからなる床パン設置用のアジャスターボルトであって、防振ゴムからなる台座部本体に上下に貫通してボルト部が挿通可能な本体挿通孔を形成し、前記台座部本体の上面にボルト部が挿通可能な板挿通孔を形成した金属板を該板挿通孔と前記本体挿通孔とを連通させた状態で固定し、金属板の板挿通孔の周囲の上面にボルト部に螺合するナット部を固定して台座部を構成し、前記ナット部に任意の長さのボルト部を台座部の下方より本体挿通孔および板挿通孔に挿入してナット部に螺合すると共にボルト部の上端部より螺合したロックナットを締結することで固定して成ることを特徴とする床パン設置用のアジャスターボルト。
【発明の詳細な説明】
【技術分野】
【０００１】
本発明は、浴室内の床面上に床パンを高さ調節自在に設置するための床パン設置用のアジャスターボルトに関するものである。
【背景技術】
【０００２】
従来より、浴室内の床面上に床パンを高さ調節自在に設置するため、床パン設置用のアジャスターボルトが使用されている（例えば特許文献１参照）。これは、支脚本体に固定した保持ナットに高さ調整用ボルトを螺着して高さ調整を行うものである。しかしながら、このものにあっては防振構造となっていないため、防振ゴムを設けたものが発明されている（例えば特許文献２参照）。
【０００３】
これは図３に示すように、床面上に設置される台座部１と、この台座部１に取り付けられて床パンを支持するボルト部２とからなるもので、防振ゴムからなる台座部本体１１の上面および下面にそれぞれ上金属板１２および下金属板１３を固定すると共に、ボルト部２の頭部２２を上金属板１２上に溶接等によって固定し、ボルト部２の上部を床パン（図示せず）の下部の雌ねじ部に螺着して固定のためのナット（図示せず）にて締結固定するものであった。
【０００４】
このものにあっては、雌ねじ部のボルト部２に螺着させる位置を調節することで高さ調節が可能となっているが、予め台座部１に固定してあるボルト部２の長さの範囲内でしか高さ調節が行われないものであり、それ以上の範囲で高さ調節しようとすると、予め長さの異なるボルト部２を固定した台座部１を用意する必要があり、ボルト部２を固定した台座部１が複数種類存在することとなって製作、管理等が煩雑になるものであった。
【特許文献１】特開平８−２８５１７７号公報
【特許文献２】特開２００３−３５４６号公報
【発明の開示】
【発明が解決しようとする課題】
【０００５】
本発明は上記の点に鑑みてなされたものであり、その目的とするところは、予め長さの異なるボルト部を固定した台座部を複数種類用意する必要がなく製作、管理等において煩雑となることのない床パン設置用のアジャスターボルトを提供することを課題とするものである。
【課題を解決するための手段】
【０００６】
上記課題を解決するために請求項１に係る床パン設置用のアジャスターボルトにあっては、床面上に設置される台座部１と、該台座部１に取り付けられて床パンを支持するボルト部２とからなる床パン設置用のアジャスターボルトであって、防振ゴムからなる台座部本体１１に上下に貫通してボルト部２が挿通可能な本体挿通孔１１ａを形成し、前記台座部本体１１の上面にボルト部２が挿通可能な板挿通孔１２ａを形成した金属板（上金属板１２）を該板挿通孔１２ａと前記本体挿通孔１１ａとを連通させた状態で固定し、金属板（上金属板１２）の板挿通孔１２ａの周囲の上面にボルト部２に螺合するナット部１４を固定して台座部１を構成し、前記ナット部１４に任意の長さのボルト部２を台座部１の下方より本体挿通孔１１ａおよび板挿通孔１２ａに挿入してナット部１４に螺合すると共にボルト部２の上端部より螺合したロックナット３を締結することで固定して成ることを特徴とするものである。このような構成とすることで、任意の長さのボルト部２を複数種類用意するだけで、共通の台座部１を用いて前記長さの異なるボルト部２を選択的に固定することでボルト部２の長さの範囲を超えて高さ調節をすることが可能となる。
【発明の効果】
【０００７】
本発明にあっては、任意の長さのボルト部を複数種類用意するだけで、共通の台座部を用いて前記長さの異なるボルト部を選択的に固定することでボルト部の長さの範囲を超えて高さ調節をすることが可能となり、台座部を複数種類製作することによる製作、管理等の煩雑化やコストアップを抑えることができる。
【発明を実施するための最良の形態】
【０００８】
以下、本発明を添付図面に示す実施形態に基づいて説明する。本発明の床パン設置用のアジャスターボルトは、床スラブ等の床面上に載置される台座部１と、台座部１に取り付けられて床パンを支持するボルト部２とで構成される。
【０００９】
台座部１は、防振ゴムからなる台座部本体１１と、この台座部本体１１の上面および下面に固定される上金属板１２および下金属板１３とからなる。台座部本体１１は略円柱状をしたもので、略中央部に上下に貫通する本体挿通孔１１ａが形成してあり、この本体挿通孔１１ａの内径はボルト部２の外径よりも大きく形成してある。下金属板１３は台座部本体１１の外径よりも大きく形成してあり、床面上に直接載置されるもので、また、上金属板１２は台座部本体１１の外径よりも小さく且つ本体挿通孔１１ａの内径よりも大きく形成されている。そして、これら下金属板１３および上金属板１２には、ボルト部２の外径より大きい内径を有する板挿通孔１３ａ，１２ａが形成してある。この板挿通孔１３ａ，１２ａは内部をボルト部２が挿通可能となっていると共にそれぞれ本体挿通孔１１ａと連通していて、下方よりボルト部２の軸部２１を挿入することができる。また上金属板１２の板挿通孔１２ａの内径は、ボルト部２の外径より若干大きく形成し、その板挿通孔１２ａの周囲上面にボルト部２と螺合するナット部１４が固定される。ナット部１４は、その内部の孔が上記下金属板１３の板挿通孔１３ａ、本体挿通孔１１ａ、上金属板１２の板挿通孔１２ａに連通しており、下方より前記板挿通孔１３ａ，１２ａおよび本体挿通孔１１ａに挿通されたボルト部２の軸部２１がナット部１４の孔の雌ねじ部（図示せず）に螺合するものである。そして、本実施形態においては、ボルト部２の台座部１への固定は従来の溶接等のように着脱できない状態に固定してしまうのではなく、上記のようにナット部の雌ねじ部に螺合していって上金属板１２の下面に頭部２２を締結すると共に、ボルト部２の軸部２１の上端からロックナット３を螺合して上金属板１２の上面に締結することでボルト部２を台座部１に締結固定するものである。
【００１０】
ボルト部２は、長さの異なるものを予め複数種類用意しておき、設置する床パンの床面からの高さに合わせて任意の長さのボルト部２を選択的に用いるものである。
【００１１】
従来のようにボルト部２を予め台座部１に着脱できないように固定したものにあっては、ボルト部２の長さの範囲内でしか高さ調節ができないため、それ以上の範囲で高さ調節しようとすると、予め長さの異なるボルト部２を固定した台座部１を用意する必要があったが、上述した本願の構成によれば、任意の長さのボルト部２を複数種類用意するだけで、共通の台座部１を用いて前記長さの異なるボルト部２を選択的に固定することでボルト部２の長さの範囲を超えて高さ調節をすることが可能となり、台座部１を複数種類製作することによる製作、管理等の煩雑化やコストアップを抑えることができる。
【図面の簡単な説明】
【００１２】
【図１】本発明の床パン設置用のアジャスターボルトの一実施形態の断面図を示す。
【図２】同上において長さの異なるボルト部を用いた例の断面図を示す。
【図３】従来例の断面図を示す。
【符号の説明】
【００１３】
１    台座部
２    ボルト部
１１  台座部本体
１１ａ  本体挿通孔
１２  上金属板
１２ａ  板挿通孔
１３  下金属板
１３ａ  板挿通孔
１４  ナット部
３    ロックナット
【図１】
2007224617.tif 000003
【図２】
2007224617.tif 000004
【図３】
2007224617.tif 000005